(57)【要約】【課題】工事及び管理の不便さを最小化し、中央処理サーバーと発光装置の間、及び発光装置の間の両方向制御を可能にし、発光装置の自家診断によって故障による危険を事前に防止し、発光装置が自ら電気エネルギーを生産して駆動する無線通信モジュールを用いた発光装置駆動システム及びその駆動方法を提供する。【解決手段】無線通信モジュールによって中央管制サーバー及び近距離に位置する副発光装置と情報を送受信する第１通信部と、少なくとも一つの発光素子を持つ第１発光部と、前記中央管制サーバーから受信された命令信号に応じて前記第１発光部の発光を制御し、前記命令信号の中で前記副発光装置を制御するための命令信号を前記第１通信部を通じて前記副発光装置に送信する第１制御部とを含む主発光装置と；前記主発光装置と情報を送受信する第２通信部と、少なくとも一つの発光素子を持つ第２発光部と、前記主発光装置から受信された命令信号に応じて前記第２発光部の発光を制御する第２制御部とを含む少なくとも一つの副発光装置と；を含む。【選択図】図１
2011119257.tif 000002
【特許請求の範囲】
【請求項１】
無線通信モジュールによって中央管制サーバー２００及び近距離に位置する副発光装置４００と情報を送受信する第１通信部３１０と、少なくとも一つの発光素子を持つ第１発光部３２０と、前記中央管制サーバー２００から受信された命令信号に応じて前記第１発光部３１０の発光を制御し、前記命令信号の中で前記副発光装置４００を制御するための命令信号を前記第１通信部３１０を通じて前記副発光装置４００に送信する第１制御部３３０とを含む主発光装置３００と；
前記主発光装置３００と情報を送受信する第２通信部４１０と、少なくとも一つの発光素子を持つ第２発光部４２０と、前記主発光装置３００から受信された命令信号に応じて前記第２発光部４２０の発光を制御する第２制御部４３０とを含む少なくとも一つの副発光装置４００と；を含むことを特徴とする、無線通信モジュールを用いた発光装置駆動システム。
【請求項２】
前記主発光装置３００及び前記副発光装置４００は前記第１発光部３１０の状態を感知する第１感知部３４０及び前記第２発光部４１０の状態を感知する第２感知部４４０をそれぞれ含み、
前記主発光装置３００は前記第１感知部３４０によって感知された状態情報及び前記第２感知部４４０によって感知されて前記副発光装置４００から受信された状態情報の中で少なくとも一つを前記第１通信部３１０を通じて前記中央管制サーバー２００に送信することを特徴とする、請求項１に記載の無線通信モジュールを用いた発光装置駆動システム。
【請求項３】
前記状態情報は、前記主発光装置３００及び前記副発光装置４００に装着されるバッテリーＢの状態情報と、前記第１発光部３２０及び前記第２発光部４２０の寿命情報と、前記副発光装置４００に含まれる第２通信部４１０の状態情報とを含むことを特徴とする、請求項２に記載の無線通信モジュールを用いた発光装置駆動システム。
【請求項４】
前記主発光装置３００及び前記副発光装置４００は太陽エネルギーを電気エネルギーに変換して前記バッテリーＢに供給する充電モジュールＣをさらに含むことを特徴とする、請求項３に記載の無線通信モジュールを用いた発光装置駆動システム。
【請求項５】
前記中央管制サーバー２００と前記主発光装置３００は、ＷＣＤＭＡ（Ｗｉｄｅｂａｎｄ Ｃｏｄｅ Ｄｉｖｉｓｉｏｎ Ｍｕｌｔｉｐｌｅ Ａｃｅｓｓ）、ＣＤＭＡ（Ｃｏｄｅ Ｄｉｖｉｓｉｏｎ Ｍｕｌｔｉｐｌｅ Ａｃｅｓｓ）、及びＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）の中でいずれか一つを用いる無線通信網によって装置間通信を行い、
前記主発光装置３００と副発光装置４００は、ジグビー（Ｚｉｇｂｅｅ）、ブルートゥース（Ｂｌｕｅｔｏｏｔｈ）、及び赤外線方式の中でいずれか一つによって装置間通信を行うことを特徴とする、請求項１〜４のいずれか１項に記載の無線通信モジュールを用いた発光装置駆動システム。
【請求項６】
無線通信モジュールによって中央管制サーバー２００から受信された命令信号に応じて主発光装置３００を発光する第１発光段階（Ｓ６１０）；
前記受信された命令信号の中で前記主発光装置３００の近距離に位置する副発光装置４００を制御するための命令信号を前記主発光装置３００から前記副発光装置４００に送信する送信段階（Ｓ６２０）；及び
前記送信された命令信号によって前記副発光装置４００を発光する第２発光段階（Ｓ６３０）；を含むことを特徴とする、無線通信モジュールを用いた発光装置駆動システムの駆動方法。
【請求項７】
前記主発光装置３００及び前記副発光装置４００の状態をそれぞれ感知する感知段階、及び
前記主発光装置３００の状態情報及び前記副発光装置４００の状態情報の中で少なくとも一つを前記中央管制サーバー２００に送信する状態情報送信段階をさらに含むことを特徴とする、請求項６に記載の無線通信モジュールを用いた発光装置駆動システムの駆動方法。
【請求項８】
前記状態情報は、前記主発光装置３００及び前記副発光装置４００に装着されるバッテリーＢの状態情報と、前記主発光装置３００及び前記副発光装置４００に含まれる発光部３２０、４２０の寿命情報と、前記副発光装置４００に含まれる第２通信部４１０の状態情報とを含むことを特徴とする、請求項７に記載の無線通信モジュールを用いた発光装置駆動システムの駆動方法。
【請求項９】
太陽エネルギーを電気エネルギーに変換して前記バッテリーＢに供給するバッテリー充電段階をさらに含むことを特徴とする、請求項８に記載の無線通信モジュールを用いた発光装置駆動システムの駆動方法。
【請求項１０】
前記中央管制サーバー２００と前記主発光装置３００は、ＷＣＤＭＡ、ＣＤＭＡ、及びＧＳＭの中でいずれか一つを用いる無線通信網によって装置間通信を行い、
前記主発光装置３００と副発光装置４００は、ジグビー、ブルートゥース、及び赤外線方式の中でいずれか一つによって装置間通信を行うことを特徴とする、請求項６〜９のいずれか１項に記載の無線通信モジュールを用いた発光装置駆動システムの駆動方法。
【発明の詳細な説明】
【技術分野】
【０００１】
本発明は無線通信モジュールを用いた発光装置の駆動システム及びその駆動方法に係り、より詳しくは遠距離に位置する中央処理サーバーと発光装置の間に商用無線通信網を用いて信号を送受信し、近距離に位置する発光装置の間に近距離無線通信モジュールを用いて信号を送受信する無線通信モジュールを用いた発光装置の駆動システム及びその駆動方法に関する。
【背景技術】
【０００２】
霧誘導灯のような発光装置は道路または施設物の周辺に一定間隔で設置され、車両または歩行者などに位置を案内する。従来の発光装置は、中央の管制システムと有線で連結されて管理者によって手動で制御され、それぞれの発光装置の維持保守も作業者によって直接手動でなされる。
【０００３】
これにより、従来の発光装置駆動システムは、有線網によって中央管制装置と各発光装置が連結されるため、構築費用と構築に必要な時間が多大な問題がある。
【０００４】
また、従来の発光装置駆動システムは、各発光装置が構築された有線網によって外部から電源を受けるため、有線網の一部に欠陥が発生した場合、電源を受けることができなくて駆動ができない。そして、中央管制装置から各発光装置に一方的な制御しかできないため、発光装置の故障が発生した場合にも故障有無と故障対象を易しく把握することができない。
【発明の概要】
【発明が解決しようとする課題】
【０００５】
したがって、本発明は、無線通信モジュールを用いて発光装置駆動システムを構築することで、工事及び管理の不便さを最小化することができる無線通信モジュールを用いた発光装置駆動システム及びその駆動方法を提供することを目的とする。
【０００６】
また、本発明は、中央処理サーバーと発光装置の間、かつ発光装置の間の両方向制御が可能な無線通信モジュールを用いた発光装置駆動システム及びその駆動方法を提供することをほかの目的とする。
【０００７】
そして、本発明は、発光装置の自家診断によって故障による危険を事前に防止することができる無線通信モジュールを用いた発光装置駆動システム及びその駆動方法を提供することをさらに他の目的とする。
【０００８】
また、本発明は、発光装置が自ら電気エネルギーを生産して駆動が可能な無線通信モジュールを用いた発光装置駆動システム及びその駆動方法を提供することをさらに他の目的とする。
【課題を解決するための手段】
【０００９】
前記目的は、無線通信モジュールによって中央管制サーバー及び近距離に位置する副発光装置と情報を送受信する第１通信部と、少なくとも一つの発光素子を持つ第１発光部と、前記中央管制サーバーから受信された命令信号に応じて前記第１発光部の発光を制御し、前記命令信号の中で前記副発光装置を制御するための命令信号を前記第１通信部を通じて前記副発光装置に送信する第１制御部とを含む主発光装置と；前記主発光装置と情報を送受信する第２通信部と、少なくとも一つの発光素子を持つ第２発光部と、前記主発光装置から受信された命令信号に応じて前記第２発光部の発光を制御する第２制御部とを含む少なくとも一つの副発光装置と；を含むことを特徴とする、無線通信モジュールを用いた発光装置駆動システムによって達成される。
【００１０】
前記主発光装置及び前記副発光装置は前記第１発光部の状態を感知する第１感知部及び前記第２発光部の状態を感知する第２感知部をそれぞれ含み、前記主発光装置は前記第１感知部によって感知された状態情報及び前記第２感知部によって感知されて前記副発光装置から受信された状態情報の中で少なくとも一つを前記第１通信部を通じて前記中央管制サーバーに送信することができる。
【００１１】
前記状態情報は、前記主発光装置及び前記副発光装置に装着されるバッテリーＢの状態情報と、前記第１発光部及び前記第２発光部の寿命情報と、前記副発光装置に含まれる第２通信部の状態情報とを含むことができる。
【００１２】
前記主発光装置及び前記副発光装置は太陽エネルギーを電気エネルギーに変換して前記バッテリーＢに供給する充電モジュールＣをさらに含むことができる。
【００１３】
前記中央管制サーバーと前記主発光装置は、ＷＣＤＭＡ（Ｗｉｄｅｂａｎｄ Ｃｏｄｅ Ｄｉｖｉｓｉｏｎ Ｍｕｌｔｉｐｌｅ Ａｃｅｓｓ）、ＣＤＭＡ（Ｃｏｄｅ Ｄｉｖｉｓｉｏｎ Ｍｕｌｔｉｐｌｅ Ａｃｅｓｓ）、及びＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）の中でいずれか一つを用いる無線通信網によって装置間通信を行い、前記主発光装置と副発光装置は、ジグビー（Ｚｉｇｂｅｅ）、ブルートゥース（Ｂｌｕｅｔｏｏｔｈ）、及び赤外線方式の中でいずれか一つによって装置間通信を行うことができる。
【００１４】
一方、前記目的は、無線通信モジュールによって中央管制サーバーから受信された命令信号に応じて主発光装置を発光する第１発光段階；前記受信された命令信号の中で前記主発光装置の近距離に位置する副発光装置を制御するための命令信号を前記主発光装置から前記副発光装置に送信する送信段階；及び前記送信された命令信号によって前記副発光装置を発光する第２発光段階；を含むことを特徴とする、無線通信モジュールを用いた発光装置駆動システムの駆動方法によっても達成される。
【００１５】
前記主発光装置及び前記副発光装置の状態をそれぞれ感知する感知段階、及び前記主発光装置の状態情報及び前記副発光装置の状態情報の中で少なくとも一つを前記中央管制サーバーに送信する状態情報送信段階をさらに含むことができる。
【００１６】
前記状態情報は、前記主発光装置及び前記副発光装置に装着されるバッテリーＢの状態情報と、前記主発光装置及び前記副発光装置に含まれる発光部、の寿命情報と、前記副発光装置に含まれる第２通信部の状態情報とを含むことができる。
【００１７】
太陽エネルギーを電気エネルギーに変換して前記バッテリーＢに供給するバッテリー充電段階をさらに含むことができる。
【００１８】
前記中央管制サーバーと前記主発光装置は、ＷＣＤＭＡ、ＣＤＭＡ、及びＧＳＭの中でいずれか一つを用いる無線通信網によって装置間通信を行い、前記主発光装置と副発光装置は、ジグビー、ブルートゥース、及び赤外線方式の中でいずれか一つによって装置間通信を行うことができる。
【発明の効果】
【００１９】
本発明による無線通信モジュールを用いた発光装置駆動システム及びその駆動方法によれば、無線通信モジュールを用いてシステムを構築することで、工事及び管理の不便さを最小化することができる。
【００２０】
また、本発明による無線通信モジュールを用いた発光装置駆動システム及びその駆動方法によれば、中央処理サーバーと発光装置の間、かつ発光装置の間の両方向制御が可能である。
【００２１】
そして、本発明による無線通信モジュールを用いた発光装置駆動システム及びその駆動方法によれば、発光装置の自家診断によって故障による危険を事前に防止することができる。
【００２２】
また、本発明による無線通信モジュールを用いた発光装置駆動システム及びその駆動方法によれば、発光装置が自ら電気エネルギーを生産して駆動することができる。
【図面の簡単な説明】
【００２３】
【図１】本発明による無線通信モジュールを用いた発光装置駆動システムの構成を示す概略図である。
【図２】本発明による中央管制サーバーの構成を示すブロック図である。
【図３】本発明による主発光装置の構成を示すブロック図である。
【図４】本発明による副発光装置の構成を示すブロック図である。
【図５】本発明のさらに他の実施例による主発光装置を示すブロック図である。
【図６】本発明による無線通信モジュールを用いた発光装置駆動システムの駆動方法を示すフローチャートである。
【発明を実施するための形態】
【００２４】
以下、添付図面を参照して本発明による無線通信モジュールを用いた発光装置駆動システム及びその駆動方法について詳細に説明する。
【００２５】
図１は本発明による無線通信モジュールを用いた発光装置駆動システムを示すブロック図である。図１に示すように、本発明による発光装置駆動システム１００は、中央管制サーバー２００と、主発光装置３００と、少なくとも一つの副発光装置４００ａ、４００ｂ、・・・、４００ｎとを含む。
【００２６】
中央管制サーバー２００は、無線通信モジュールによって主発光装置３００及び副発光装置４００を制御するための命令信号を送信し、主発光装置３００及び副発光装置４００の状態情報を受信する。
【００２７】
本発明による無線通信モジュールは、ＷＣＤＭＡ（Ｗｉｄｅｂａｎｄ Ｃｏｄｅ Ｄｉｖｉｓｉｏｎ Ｍｕｌｔｉｐｌｅ Ａｃｅｓｓ）、ＣＤＭＡ（Ｃｏｄｅ Ｄｉｖｉｓｉｏｎ Ｍｕｌｔｉｐｌｅ Ａｃｅｓｓ）、ＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）などのような商用網Ｎによって具現可能である。
【００２８】
主発光装置３００は、中央管制サーバー２００から受信された命令信号に応じて発光し、受信された命令信号を副発光装置４００に送信するか、あるいは副発光装置４００の状態情報を受信して中央管制サーバー２００に送信する。
【００２９】
副発光装置４００は中央管制サーバー２００から送信されて主発光装置３００を通じて受信された命令情報に基づいて発光し、自体の状態情報を主発光装置３００に送信する。主発光装置３００と副発光装置４００は状態情報などを格納するために揮発性メモリを含むことができる。
【００３０】
本発明による主発光装置３００及び副発光装置４００は一定の間隔で建物や通りに配置されている誘導灯または街灯で具現可能である。
【００３１】
本発明による主発光装置３００が中央管制サーバー２００から命令信号を受信して副発光装置４００に送信する点で、本発明による主発光装置３００と副発光装置４００は一種のマスター（Ｍａｓｔｅｒ）装置とスレーブ（Ｓｌａｖｅ）装置の関係に定義することができる。中央管制サーバー２００と主発光装置３００は互いに遠隔地に位置することができるので商用通信網によることが好ましいが、主発光装置３００と副発光装置４００の間はジグビーなどのような近距離通信によることが可能である。
【００３２】
これにより、本発明による発光装置駆動システムは無線通信モジュールを用いてシステムを構築することで、有線設備に寄り掛からなければならない従来の駆動システムに比べて、事及び管理の不便さを最小化することができる。
【００３３】
図２は本発明による発光装置駆動システムに含まれた中央管制サーバー２００の構成を示すブロック図である。
【００３４】
図２に示すように、本発明による中央管制サーバー２００は、入力部２１０と、サーバー通信部２２０と、表示部２３０と、格納部２４０と、サーバー制御部２５０とを含む。本発明による中央管制サーバー２００は、大容量のハードウェアだけなく、ＰＣ、ノートブック型コンピュータ、携帯電話、ＰＤＡ（Ｐｅｒｓｏｎａｌ Ｄｉｇｉｔａｌ Ａｓｓｉｓｔａｎｔｓ）などのような端末機で具現されることも可能である。
【００３５】
入力部２１０は、主発光装置３００と副発光装置４００を制御するための命令を受ける。本発明による入力部２１０は中央管制サーバー２００の一側に備えられたキーパッドまたはマウスだけはなく中央管制サーバー２００の外部に存在するリモートコントローラーで具現されることも可能である。
【００３６】
サーバー通信部２２０は入力部２１０によって入力された命令を主発光装置３００及び副発光装置４００に送信し、主発光装置３００及び副発光装置４００の状態情報を受信する。
【００３７】
表示部２３０は主発光装置３００及び副発光装置４００から受信された状態情報を表示する。もちろん、表示部２３０は発光装置３００、４００の状態情報だけでなく中央管制サーバー２００の動作に必要な全般的な情報を表示することも可能である。
【００３８】
格納部２４０は主発光装置３００及び副発光装置４００の動作に必要な命令情報と主発光装置３００及び副発光装置４００から感知された状態情報を格納する。ここで、発光装置３００、４００の動作に必要な命令情報は電源のオン／オフ、発光強度などを含み、発光装置３００、４００の周辺状況によって多様な形態で格納できる。そして、発光装置３００、４００の状態情報は、発光装置に装着されるバッテリーＢの情報、発光部３２０、４２０の寿命情報、副発光装置４００に含まれる第２通信部４１０の状態情報などを含む。
【００３９】
具体的に、格納部２４０は商用網システムＮを通じて主発光装置３００及び副発光装置４００と無線通信を行うのに必要な情報を受信し、それぞれの発光装置３００、４００の動作有無、各発光装置３００、４００に装着されたバッテリーの残量、無線通信モジュールの動作有無などを含む状態情報を各発光装置３００、４００に割り当てられたＩＤ別に格納する。
【００４０】
サーバー制御部２５０は入力部２１０から入力された命令情報に基づいて主発光装置３００及び副発光装置４００の発光を制御し、それぞれの発光装置３００、４００の状態情報を受信して表示部２３０に表示する。本発明によるサーバー制御部２５０は一般的に大容量のハードウェアとこれに常駐するソフトウェアとからなり、主発光装置３００と副発光装置４００の状態情報を格納部２４０にリアルタイムで格納する。
【００４１】
図３は本発明による発光装置駆動システムに含まれる主発光装置３００の構成を示すブロック図である。
【００４２】
図３に示すように、本発明による主発光装置３００は、第１通信部３１０と、第１発光部３２０と、第１制御部３３０とを含む。
【００４３】
第１通信部３１０は無線通信モジュールによって中央管制サーバー２００及び近距離に位置する副発光装置４００と情報を送受信する。本発明による第１通信部３１０は中央管制サーバー２００と通信を行うための無線通信モジュール３１０ａ、及び副発光装置４００と通信を行うための近距離無線通信モジュール３１０ｂに区分される。中央管制サーバー２００と通信を行うための無線通信モジュールはＷＣＤＭＡ、ＣＤＭＡ、ＧＳＭなどのような商用網Ｎで具現され、近距離無線通信モジュールは、ジグビー、ブルートゥース、赤外線などのような通信方式で具現される。
【００４４】
第１発光部３２０は少なくとも一つの発光素子を含み、中央管制サーバー２００から第１通信部３１０を通じて受信された命令信号に応じて発光する。本発明による第１発光部３２０の発光素子は輝度が高くて電力効率に優れたＬＥＤ（Ｌｉｇｈｔ Ｅｍｉｔｔｉｎｇ Ｄｉｏｄｅ）で具現されることが好ましいが、発光可能な素子であればいずれもかまわない。
【００４５】
第１制御部３３０は、中央管制サーバー２００から受信された命令信号に応じて第１発光部３２０の発光を制御し、中央管制サーバー２００から受信された命令信号の中で副発光装置４００を制御するための命令信号を第１通信部３１０を通じて前記副発光装置４００に送信する。本発明による第１制御部３１０はマイコンを含む電子回路及びソフトウェアで具現可能である。
【００４６】
図４は本発明による発光装置駆動システムに含まれる副発光装置の構成を示すブロック図である。
【００４７】
図４に示すように、本発明による副発光装置４００は、第２通信部４１０と、第２発光部４２０と、第２制御部４３０とを含む。
【００４８】
第２通信部４１０は主発光装置３００と情報を送受信する。具体的に、第２通信部４１０は中央管制サーバー２００から受信された命令信号を主発光装置３００を通じて受信する。
【００４９】
第２発光部４２０は主発光装置３００に含まれる第１発光部３２０の構成と同様であるのでその説明は省略する。
【００５０】
第２制御部４３０は主発光装置３００から受信された命令信号に応じて第２発光部４２０の発光を制御する。主発光装置３００に含まれた第１制御部３３０と同様に、マイコンを含む電子回路及びソフトウェアで具現可能である。
【００５１】
図５は本発明のさらに他の実施例による主発光装置の構成を示すブロック図である。図５に示すように、本発明のさらに他の実施例による主発光装置３００は、それぞれバッテリーＢと、充電モジュールＣとを含む。副発光装置４００も主発光装置３００と同様にバッテリーＢと充電モジュールを含む。
【００５２】
バッテリーＢは第１発光部３２０及び第２発光部４２０の発光に必要な電源を供給する。バッテリーＢは主発光装置３００及び副発光装置４００にそれぞれ着脱可能である。
【００５３】
充電モジュールＣは太陽エネルギーを電気エネルギーに変換してバッテリーＢに供給する。本発明による充電モジュールＣは、太陽エネルギーを受信する受信モジュールと、受信されたエネルギーを発光部に供給可能な一定大きさの電圧に変換するコンバータとから構成される。
【００５４】
一方、本発明による主発光装置３００と副発光装置４００はそれぞれ第１感知部３４０と第２感知部４４０をさらに含むことができる。第１感知部３４０及び第２感知部４４０はそれぞれ主発光装置３００及び副発光装置４００の状態情報を感知する。本発明による第１感知部３４０及び第２感知部４４０はバッテリーＢの残量と第１発光部３２０及び第２発光部４２０の明るさを感知する多様な形態のセンサーで具現可能である。
【００５５】
ここで、発光状態情報は、バッテリーＢの状態情報と、第１発光部３２０及び第２発光部４２０の寿命情報と、副発光装置４００に含まれる第２通信部４１０の状態情報とを含む。
【００５６】
バッテリーＢの状態情報は、バッテリーＢの異常有無と、バッテリーＢの残量情報などを含む。第１制御部３３０及び第２制御部４３０はそれぞれ第１感知部３４０及び第２感知部４４０によってバッテリーＢの異常有無とバッテリーＢの残量に対する情報を感知する。主発光装置３００及び副発光装置４００はバッテリーＢの残量が一定値以上の場合、自ら充電モジュールＣによってバッテリーＢの充電を行うことができるが、バッテリーＢの残量情報を中央管制サーバー２００に送信することで中央管制サーバー２００によってもバッテリーＢの充電を行うことができる。
【００５７】
また、第１制御部３３０と第２制御部４３０はそれぞれ第１発光部３２０と第２発光部４２０の寿命情報を第１感知部３４０及び第２感知部４４０によって感知して中央管制サーバー２００に送信する。
【００５８】
第２通信部４１０の状態情報は第２通信部４１０の通信状態の異常有無を意味し、主発光装置３００が一種のエコー信号を送信して応答がない場合、これを通信状態の異常があるものとして見なして副発光装置４００のＩＤ及び異常有無を中央管制サーバー２００に送信する。
【００５９】
主発光装置３００に含まれた第１感知部３４０によって感知された主発光装置３００の状態情報は第１通信部３１０を通じて直接中央管制サーバー２００に送信され、副発光装置４００に含まれた第２感知部４４０によって感知された副発光装置４００の状態情報は主発光装置３００を通じて中央管制サーバー２００に送信される。
【００６０】
副発光装置４００の第２通信部４１０は主発光装置３００の第１通信部３１０とジグビーのような近距離無線通信モジュールによって無線通信を行う。具体的に、一つの副発光装置４００ａが残りの副発光装置４００ｂ、４００ｃ、・・・、４００ｎの状態情報をすべて受信した後、自体の状態情報とともに一括的に主発光装置３００に送信する。もちろん、一つの副発光装置４００ａが個別的に隣接した他の副発光装置４００ｂを介して主発光装置３００と命令信号または状態情報を送受信することも可能である。
【００６１】
これにより、中央管制サーバー２００はそれぞれの発光装置３００、４００に含まれているバッテリーＢの異常有無と発光部３２０、４２０の入替えが必要であるか否かを易しく把握することができるので、自家診断機能によって故障による危険を事前に防止することができる。
【００６２】
従来の発光装置駆動システムは有線で構築されるため、発光装置の自家診断機能を具現するためには、工事過程が複雑で費用が高い欠点があったが、本発明による無線通信モジュールによる発光装置駆動システム１００によれば、このような欠点を克服することができる。
【００６３】
図６は本発明による無線通信モジュールを用いた発光装置駆動システムの駆動方法を示すフローチャートである。
【００６４】
本発明による発光装置駆動システムの駆動方法は、まず無線通信モジュールによって中央管制サーバー２００から受信された命令信号に応じて主発光装置３００を発光させる（Ｓ６１０）。
【００６５】
ついで、中央管制サーバー２００から受信された命令信号の中で主発光装置３００の近距離に位置する副発光装置４００を制御するための命令信号を主発光装置３００から副発光装置４００に送信する（Ｓ６２０）。
【００６６】
最後に、中央管制サーバー２００から送信された命令信号によって副発光装置４００を発光する（Ｓ６３０）。
【００６７】
本発明による無線通信モジュールを用いた発光装置駆動システムの駆動方法は、中央管制サーバー２００と主発光装置３００がＷＣＤＭＡ、ＣＤＭＡ、及びＧＳＭの中でいずれか一つを用いる無線通信網によって装置間通信を実行し、主発光装置３００と副発光装置４００はジグビー、ブルートゥース、及び赤外線方式の中でいずれか一つによって装置間通信を行うことが好ましい。
【００６８】
本発明のさらに他の実施例による無線通信モジュールを用いた発光装置駆動システムの駆動方法は、主発光装置３００及び副発光装置４００の状態をそれぞれ感知する感知段階と、感知された主発光装置３００と副発光装置４００の状態情報の中で少なくとも一つを中央管制サーバー２００に送信する状態情報送信段階をさらに含むことができる。
【００６９】
ここで、状態情報は、発光装置３００、４００に装着されるバッテリーＢの状態情報と、第１発光部３２０及び第２発光部４２０の寿命情報と、副発光装置４００に含まれる第２通信部４１０の状態情報とを含む。これにより、発光装置の自家診断によって故障による危険を事前に防止することができる。
【００７０】
そして、発光装置３００、４００に装着されるバッテリーＢの状態情報に基づいて太陽エネルギーを電気エネルギーに変換してバッテリーＢに供給するバッテリー充電段階が中央管制サーバー２００によって行われるか、あるいは主発光装置３００及び副発光装置４００によって自主的に行われることができる。
【００７１】
以上、好ましい実施例に基づいて本発明について詳細に説明したが、本発明はこれに限定されるものではなく、特許請求範囲内で多様に実施可能である。
【産業上の利用可能性】
【００７２】
本発明は、遠距離に位置する中央処理サーバーと発光装置の間に商用無線通信網を用いて信号を送受信し、近距離に位置する発光装置の間に近距離無線通信モジュールを用いて信号を送受信する無線通信モジュールを用いた発光装置の駆動システム及びその駆動方法に適用可能である。
【符号の説明】
【００７３】
１００    発光駆動システム
２００    中央管制サーバー
２１０    入力部
２２０    サーバー通信部
２３０    表示部
２４０    格納部
２５０    サーバー制御部
３００    主発光装置
３１０    第１通信部
３２０    第１発光部
３３０    第１制御部
３４０    第１感知部
４００    副発光装置
４１０    第２通信部
４２０    第２発光部
４３０    第２制御部
４４０    第２感知部
Ｂ    バッテリー
Ｃ    充電モジュール
Ｎ    商用網
【図１】
2011119257.tif 000003
【図２】
2011119257.tif 000004
【図３】
2011119257.tif 000005
【図４】
2011119257.tif 000006
【図５】
2011119257.tif 000007
【図６】
2011119257.tif 000008